(57)【要約】  【課題】  制振効果が大きく、荷重に対する変形が少ない制振部材を提供することを課題とする。  【解決手段】  本発明の制振部材１は、上面部材１３及び下面部材１５を有する外郭部材１０と、圧縮によって変形する圧縮変形体１１とを有している。上面部材１３と下面部材１５との間には空間２０が設けられ、空間２０に圧縮変形体１１が充填されている。  そして、上面部材１３と下面部材１５との間に圧縮力が加わると、圧縮変形体１１がせん断力を受け、圧縮変形体１１がせん断力を受けることによって振動エネルギーを熱エネルギーに変換する。【選択図】  図３
2006063583.tif 000002
【特許請求の範囲】
【請求項１】
上面部材及び下面部材を有する外郭部材と、圧縮によって変形する圧縮変形体とを有し、上面部材と下面部材との間には空間が設けられ、前記空間には圧縮変形体が充填されており、上面部材には圧縮変形体と接触する面を有し、前記面は上下方向の成分を持つものであり、上面部材と下面部材との間に振動が加わると、圧縮変形体に振動が伝わるものであり、圧縮変形体は伝わった振動を減衰させることが可能であることを特徴とする制振部材。
【請求項２】
上面部材には下側に突出する突起部が設けられ、前記突起部には上下方向に対して傾斜している傾斜部が設けられ、上面部材と下面部材との間に圧縮力が加わると、前記上面部材が撓んで突起部が下方へ移動して、傾斜部付近の圧縮変形体がせん断力を受けるものであることを特徴とする請求項１に記載の制振部材。
【請求項３】
上面部材には下側に突出する突起部が設けられ、上面部材に振動が伝わると、前記突起部と圧縮変形体との界面の摩擦力、及び、伝わった振動による圧縮変形体の変形により振動が減衰されるものであることを特徴とする請求項１又は２に記載の制振部材。
【請求項４】
上面部材の突起部は突条であり、複数の突起部が平行となるように並設されていることを特徴とする請求項１〜３のいずれかに記載の制振部材。
【請求項５】
上面部材の下側に突出する突起部が、針状であることを特徴とする請求項１〜４のいずれかに記載の制振部材。
【請求項６】
外郭部材によって設けられる空間は、密閉空間であることを特徴とする請求項１〜５のいずれかに記載の制振部材。
【請求項７】
請求項１〜６のいずれかに記載の制振部材をレールとまくら木との間、又は、まくら木の下部に配置して、レール及びレール上の鉄道車両の荷重を支えていることを特徴とする制振軌道構造。
【発明の詳細な説明】
【技術分野】
【０００１】
本発明は、レールの下部などに配置され、レールやレール上を走行する鉄道車両の荷重を支えつつ、車両走行時の振動を低減するためなどに用いることができる制振部材に関するものである。
【背景技術】
【０００２】
レールとまくら木の間や、まくら木と橋の鉄桁などのまくら木支持部との間に、パッキンなどと呼ばれる部材が配置されている。そして、この部材は、材質としてはゴムなどが用いられており、まくら木とレールとの間や、レールと鉄桁などの間の高さ調整を行いつつ、列車走行時の振動の低減を行っている。
まくら木とレールとの間に設けられる部材は特許文献１などに記載されている。
【特許文献１】特開平１０−１４０５０２号公報
【０００３】
特に、橋梁で発生する振動は大きく、騒音などによる環境問題になりやすいので、できるだけ振動を低減させることが求められている。
【発明の開示】
【発明が解決しようとする課題】
【０００４】
特許文献１等に記載されている、まくら木とレールとの間に設けられて、レールやレール上の荷重を支えつつ振動を低減させる部材は、通常、ゴムなどが用いられているが、ゴムなどでは制振性能に限界があった。
【０００５】
すなわち、ゴムを用いる場合でも、レールやレール上を走行する列車などの鉄道車両の荷重を支える程度の強度が必要であり、列車通過による変形量を小さくする必要があるので、ある程度の剛性は必要である。しかし、剛性を高くすると制振性能が低下してしまう。
【０００６】
一般に、制振性能を向上させるには、振動を低減させる部材を、用いられる素材を軟らかくして撓むようにする方法、粘性挙動によって振動を効率的に熱に変換する素材を用いる方法、重量を増加させる方法などがある。
【０００７】
用いられる素材を軟らかくして撓む素材を用いた方法では、列車の通過の際に変形が大きくなり場合によっては列車の走行に支障を来すことになる。また、重量を増加させるのでは、制振部材を支持する部材の強度を大きくしなければならない。そのため、粘性挙動などによって振動を効率的に熱に変換する素材を用いるられる場合が多かった。
【０００８】
通常、粘性挙動により行われる制振が優れる素材は振動が行われる周波数でのｔａｎδ（損失係数）が大きいものであり、変形に対して戻りが遅いものである。一方、列車の通過時には、所定の間隔で配置されている車輪が通過するため、間歇的に振動が発生する。したがって、変形に対して戻りが遅いと、制振性能が低減してしまう場合があった。
【０００９】
そこで、制振効果が大きく、荷重に対する変形が少ない制振部材を提供することを課題とする。
【課題を解決するための手段】
【００１０】
上記した目的を達成するための請求項１に記載の発明は、上面部材及び下面部材を有する外郭部材と、圧縮によって変形する圧縮変形体とを有し、上面部材と下面部材との間に
は空間が設けられ、前記空間には圧縮変形体が充填されており、上面部材には圧縮変形体と接触する面を有し、前記面は上下方向の成分を持つものであり、上面部材と下面部材との間に振動が加わると、圧縮変形体に振動が伝わるものであり、圧縮変形体は伝わった振動を減衰させることが可能であることを特徴とする制振部材である。
ここで、振動エネルギーを減衰させる方法としては、粉体などを用いて粒子間の摩擦を利用するもの、素材の粘性挙動を用いるものなどがある。そして、振動エネルギーは熱エネルギーに変換することとなる。
【００１１】
請求項１に記載の発明によれば、圧縮力は外郭部材が受け持ち、振動は上面部材から圧縮変形体に伝わることにより、振動エネルギーを減衰させることが可能であるので、制振性能が優れる。
【００１２】
請求項２に記載の発明は、上面部材には下側に突出する突起部が設けられ、前記突起部には上下方向に対して傾斜している傾斜部が設けられ、上面部材と下面部材との間に圧縮力が加わると、前記上面部材が撓んで突起部が下方へ移動して、傾斜部付近の圧縮変形体がせん断力を受けるものであることを特徴とする請求項１に記載の制振部材である。
【００１３】
請求項２に記載の発明によれば、上面部材には下側に突出して、上下方向に対して傾斜している傾斜部が設けられている突起部を有するので、制振部材全体の圧縮変形量に対して、大きなせん断力を圧縮変形体に与えることができる。
【００１４】
請求項３に記載の発明は、上面部材には下側に突出する突起部が設けられ、上面部材に振動が伝わると、前記突起部と圧縮変形体との界面の摩擦力、及び、伝わった振動による圧縮変形体の変形により振動が減衰されるものであることを特徴とする請求項１又は２に記載の制振部材である。
【００１５】
請求項３に記載の発明によれば、上面部材に振動が伝わると、前記突起部と圧縮変形体との界面の摩擦力、及び、伝わった振動による圧縮変形体の変形により振動が減衰されるものであるので、制振性能が優れる。
【００１６】
請求項４に記載の発明は、上面部材の突起部は突条であり、複数の突起部が平行となるように並設されていることを特徴とする請求項１〜３のいずれかに記載の制振部材である。
【００１７】
請求項４に記載の発明によれば、突条の突起部を平行に並べられているので、傾斜面の面積を大きくすることが可能であり、効率的に振動エネルギーを減衰させることが可能である。
【００１８】
上面部材の下側に突出する突起部を針状とすることができる（請求項５）。
【００１９】
請求項６に記載の発明は、外郭部材によって設けられる空間は、密閉空間であることを特徴とする請求項１〜５のいずれかに記載の制振部材である。
【００２０】
請求項６に記載の発明によれば、外郭部材によって設けられる空間は、密閉空間であるので、内部の圧縮変形体が外部に漏洩したり、外部から水などが進入したりすることがない。
【００２１】
請求項１〜６のいずれかに記載の制振部材をレールとまくら木との間、又は、まくら木の下部に配置して、レール及びレール上の鉄道車両の荷重を支えた制振軌道構造では、鉄道車両の通過時などに発生する振動を低減することができる（請求項７）。
【発明の効果】
【００２２】
本発明の制振部材は、特に制振性能に優れるものである。
【発明を実施するための最良の形態】
【００２３】
以下さらに本発明の具体的実施例について説明する。図１は、本発明の第１の実施形態の制振部材の斜視図である。図２は、図１に示す制振部材のＡ−Ａ断面図である。図３は、本発明の第１の実施形態の制振部材の分解斜視図である。図４は、制振部材の使用状態を示す斜視図である。図５は、図２の部分拡大断面図である。図６は、本発明の第２の実施形態の制振部材の断面図である。図７は、制振性能を試験する状態を示す斜視図である。図８及び図９は、突起部の変形例を示す斜視図である。
【００２４】
本発明の第１の実施形態における制振部材１は、図１〜図３に示されるように、外郭部材１０と圧縮変形体１１とを有している。
外郭部材１０の外形は上下方向の長さが他の方向より短く、内部に空間２０を有する直方体状の板状容器であり、後述するように、圧縮変形体１１はこの空間２０に充填されている。
【００２５】
外郭部材１０には、上面部材１３及び下面部材１５が設けられている。
上面部材１３は板部１７と突起部１６が設けられている。板部１７は長方形の板であり、突起部１６は、図２に示されるように断面が三角形の棒状の突条であり、板部１７の下側に突起部１６が固定されている。
【００２６】
下面部材１５は、図３に示されるように、長方形状の底面部１５ａと、底面部１５ａの四辺に接続する四ヵ所の側面部１５ｂが設けられた容器状であり、内部には空間２０が設けられている。
そして、空間２０の上部は開口状であり、上面部材１３の板部１７によって封鎖することができ、板部１７によって封鎖されると空間２０は密閉状態となる。
【００２７】
上面部材１３の突起部１６は複数設けられて平行に並べられており、板部１７のほぼ全域に設けられている。そして、突起部１６は空間２０側の下方に向かって突出し、突起部１６の傾斜部１６ａが空間側に面している。
【００２８】
図２に示されるように、突起部１６の断面は三角形状であり、下端に三角形の１つの頂点である先端部１６ｂが位置しているので、突起部１６は下側ほど横方向の幅が短くなる。また、突起部１６の下端の先端部１６ｂの断面角は約３０°であり、突起部１６の断面形状はほぼ二等辺三角形である。
上面部材１３の板部１７によって空間２０が封鎖された状態では、突起部１６同士の間の空間２０は、下側ほど横方向の幅が長くなる。また、突起部１６の先端部１６ｂと、下面部材１５との間は隙間２１が形成されている。
また、この傾斜部１６ａは圧縮変形体１１と接触する面であり、この面は上下方向の成分を持つものである。この上下方向の成分を持つ面としては、上下方向に平行な面や、上下方向に対して傾斜する面が含まれる。
【００２９】
また、この隙間２１の大きさは、制振部材１の使用時に荷重によって圧縮力を受けたり、振動した場合にも、突起部１６の先端部１６ｂと、下面部材１５の底面部１５ａとが接触しない大きさである。したがって、上面部材１３から下面部材１５へ振動が伝達する場合には、突起部１６から直接的に底面部１５ａに伝達されることはなく、圧縮変形体１１を介して行われる。
【００３０】
圧縮変形体１１は、圧縮状態に応じて自由に変形することが可能なものであり、例えば、珪砂、金属粉、セラミック粉、クロマイトサンドなどの粉状体、ゲル状物、液状物などを用いることができる。本実施例では、粉状体である７号珪砂が使用されている。
また、圧縮変形体１１は、せん断力を受けて発熱させるものであるので、せん断力によってずれが起こって発熱しやすく、長期に使用しても形状などが変化しないものが望ましい。粉状体を用いる場合には、使用によって押し固められ難い方が良く、真比重が大きいほど同じせん断力でも発熱しやすいので特に好ましい。
【００３１】
圧縮変形体１１は、外郭部材１０の空間２０に充填され、空間２０の上部にわずかな隙間を残して、ほぼ全体的に充填されている。したがって、図２に示されるように、突起部１６同士の間にも充填されている。
また、圧縮変形体１１の充填量は上記よりも少なくても良いが、突起部１６同士の間に充填する程度の量が必要であり、好ましくは、突起部１６の上下方向の長さを基準として５０％以上充填することが望ましい。５０％以下の量であると、突起部１６の傾斜部１６ａとの間に隙間が形成され、制振性能が低下するおそれがある。
【００３２】
外郭部材１０を構成する部材の材質は、適度な剛性を有していれば良い。また、制振性能が良い材料を用いることができる。但し、振動良導体である金属を用いた場合、圧縮変形体１１に振動が伝わるより、外郭部材１０から下面部材１５に優先的に振動が伝わるため好ましくない。
上面部材１３の板部１７や突起部１６、下面部材１５の底面部１５ａや側面部１５ｂは同じ材質でも良く、異なる材質でも良い。具体的には、熱硬化性や熱硬化性の樹脂や金属を用いることができる。また、これらの樹脂にガラス繊維や砂やＦＲＰの切削粉などを添加しても良い。
【００３３】
制振部材１を組み立てる際には、板部１７と突起部１６とを結合して上面部材１３を組み立てて、底面部１５ａと側面部１５ｂとを結合して下面部材１５を組み立てて、下面部材１５の空間２０に圧縮変形体１１を充填し、上面部材１３と下面部材１５とを結合して、空間２０を密閉状態として行われる。
【００３４】
上面部材１３と下面部材１５の側面部１５ｂとの間や、底面部１５ａと側面部１５ｂとの間などの結合は接着剤などにより行われるが、外部から水などが浸入したり、内部の圧縮変形体１１が流出したりしないように、シール処理が行われ、空間２０は密閉される。このシール処理の方法としては、ゴムやＦＲＰなどのシール部材を、結合する部材の間や外側に設けるようにして、かかるシール部材と結合する部材との隙間を無くす方法や、液状のシール材を結合部に塗布して硬化させて行う方法などがある。
【００３５】
制振部材１は、図４に示されるように、まくら木１００とレール１０１との間や、まくら木１００の下側であってまくら木１００と鉄桁１０２の間に設置される。
レール１０１などの重量によって、制振部材１は上面部材１３の板部１７と下面部材１５の底面部１５ａとの間で圧縮力を受けるが、側面部１５ｂなどによって圧縮力を受けている。
【００３６】
そして、列車が通過するときには、制振部材１にはさらに圧縮力が加わり、また振動が制振部材１に伝わる。この圧縮や振動の伝達の際に、突起部１６から振動が伝わり、突起部１６の近傍の圧縮変形体１１は矢印方向にせん断力を受ける。そして、圧縮変形体１１がせん断力を受けると珪砂の粒同士が擦れ合って摩擦熱が発生し、圧縮力や振動エネルギーが熱エネルギーに変換されて振動を減衰させることができる。
また、上面部材１３に振動が伝わると、突起部１６と圧縮変形体１１との界面の摩擦力や、伝わった振動による圧縮変形体１１の変形により振動が減衰される。
【００３７】
具体的に説明すると、突起部１６同士の間の空間２０は上側ほど幅は狭いので、板部１７が撓んで突起部１６が下方に移動すると、突起部１６の傾斜部１６ａが圧縮変形体１１を押しつける。そして、傾斜部１６ａは上下方向に傾斜しているので、圧縮変形体１１は圧縮力だけでなく、せん断力を受ける。
【００３８】
また、逆に、振動などにより、撓んだ上面部材１３の板部１７のたわみ量が減少し、突起部１６が上方に移動した場合には、突起部１６の近傍の圧縮変形体１１は、図５に示される矢印方向とは逆の方向にせん断力を受ける。
【００３９】
このように、制振部材１では、圧縮変形体１１にせん断力を与えることができるので、単に圧縮する場合よりも熱エネルギーへの変換させて振動を減衰させやすい。また、圧縮変形体１１に粉体を用いて摩擦熱により振動エネルギーを熱エネルギーに変換するので、変換されて発生した熱の放熱を行いやすい。
【００４０】
次に、本発明の第２の実施形態における制振部材２について説明する。
制振部材２は、図６に示されており、上記した制振部材１と比べて、外郭部材３０の構造が異なるものである。外郭部材３０は、上面部材３３と下面部材３５が設けられている。そして、上面部材３３には突条の突起部３６が、下面部材３５には突条の突起部３９が設けられており、上面部材３３の突起部３６同士の間に下面部材３５の突起部３９が進入し、下面部材３５の突起部３９同士の間に上面部材３３の突起部３６が進入している。そして、上面部材３３の突起部３６と、下面部材３５の突起部３９の間に、空間４０が形成される。
【００４１】
突起部３６、３９は、断面形状が三角形であり、傾斜面３６ａ、３９ａを有している。したがって、空間４０は制振部材２の上下方向に対して傾斜する面に沿って形成されるほぼ一定の隙間となる。
【００４２】
また、空間４０は密閉状であり、制振部材２の側面側にシール部材３８が設けられている。シール部材３８により、外部から水などが浸入したり、内部の圧縮変形体１１が流出したりすることを防止している。
上面部材３３と下面部材３５とは直接接触しておらず、圧縮変形体１１が全面で挟まれた状態である。
【００４３】
制振部材２においても、上下方向の圧縮により、圧縮変形体１１にはせん断力が働き、振動した場合に、振動エネルギーを熱エネルギーに変換して振動を減衰することができる。
また、上面部材１３に振動が伝わると、突起部３６と圧縮変形体１１との界面の摩擦力や、伝わった振動による圧縮変形体１１の変形により振動が減衰される。
【００４４】
圧縮変形体１１には、上記の制振部材１において説明したものと同様のものを用いることができる。特に、制振部材２の場合には、上下方向の変位が同じであっても、せん断力を大きくすることができ、さらに隙間を小さくすることで、さらにせん断力を大きくすることが可能である。そして、ゲル状物などの粘性が大きい素材を用いた場合には、特に制振性能が優れる。
また、傾斜面３６ａ、３９ａの表面粗度を粗くすることで、ゲル状物などの圧縮変形体１１を多く内蔵することができる。
【００４５】
上記した実施形態では、突起部１６、３６、３９は、突条であったが、下側に向かって幅が狭くなる形状であれば、異なる形状を採用することができる。例えば、図８に示され
るように、突起部５０の傾斜部１６ａが曲面状であってもよい。また、図９に示されるように、突条でない短い突起部５１を縦横に並べるように配置しても良い。さらに、針状とすることもできる。
【００４６】
なお、上記実施例では、レールとまくら木との間、又は、まくら木の下部に配置して、レール等の振動を低減させる例について述べたが、他の用途、例えば、機械の基礎部に配置して機械の振動を低減させたり、自動車に取り付けて自動車の振動を低減させることもできる。
【実施例】
【００４７】
以下に示すように、制振部材１の制振性能についてに確認した。
【００４８】
（実施例１）
制振部材１の外郭部材１０を硬質ウレタンによって成型した。外形の大きさは、上下方向の厚みが４０ｍｍ、幅と長さがそれぞれ２００ｍｍ、４００ｍｍとし、空間２０の突起部１６を除く大きさは、上下方向の厚みが２０ｍｍ、幅と長さがそれぞれ１８０ｍｍ、３８０ｍｍとした。
突起部１６の上下方向の長さは１８ｍｍであり、底面部１５ａと先端部１６ｂとの間は２ｍｍである。突起部１６の長さは３８０ｍｍであり、幅は１８ｍｍである。そして、図２、図３に示されるように、等間隔に６本の突起部１６を空間２０側に突出するように設け、板部１７に固定した。
【００４９】
そして、圧縮変形体１１として、７号珪砂を用い、これを１５００ｇ空間２０に充填した。圧縮変形体１１は空間２０をほぼ埋め尽くし、空間２０の上部にわずかの隙間を残す状態である。上面部材１３と下面部材１５との固定や、突起部１６の固定は、エポキシ接着剤で接着した。
【００５０】
（比較例１）
実施例１と同様の材質の硬質ウレタンを用いて、実施例１と同様の外形に成形した。なお空間２０は設けられておらず、全体が硬質ウレタンである。
【００５１】
実施例１及び比較例１について、以下の方法で、制振性能を試験した。  
図７に示されるように、まくら木１００とＨ鋼１１２との間に、両側２ヵ所に実施例１や比較例１の制振部材１を配置した。なお、まくら木１００は上下方向の高さが１４０ｍｍ、幅が２００ｍｍ、長さが２１００ｍｍであり、Ｈ鋼１１２は、幅２００ｍｍ、高さ２００ｍｍであり、Ｈ鋼１１２の中心同士の間隔は１５００ｍｍである。
まくら木１００の材質は長繊維強化ウレタン発泡体であり比重は０．７４である。
【００５２】
また、まくら木１００の端部から、６２５ｍｍの位置にタイプレートに用いられる鋼板１０５をまくら木１００の上側に置いた。そして、直径５０ｍｍの５００ｇの鋼球１１０を３００ｍｍ上方から、この鋼板１０５上に自由落下させ、鋼板１０５を置いた側のＨ鋼１１２に取り付けた振動センサー１１１により振動加速度を測定した。
【００５３】
その結果、比較例１では振動加速度が３０ｄＢであったが、実施例１では振動加速度が２０ｄＢであり、実施例１の方が格段に振動加速度が小さく、振動を低減する効果があった。
【図面の簡単な説明】
【００５４】
【図１】本発明の第１の実施形態の制振部材の斜視図である。
【図２】図１に示す制振部材のＡ−Ａ断面図である。
【図３】本発明の第１の実施形態の制振部材の分解斜視図である。
【図４】制振部材の使用状態を示す斜視図である。
【図５】図２の部分拡大断面図である。
【図６】本発明の第２の実施形態の制振部材の断面図である。
【図７】制振性能を試験する状態を示す斜視図である。
【図８】突起部の変形例を示す斜視図である。
【図９】突起部の変形例を示す斜視図である。
【符号の説明】
【００５５】
１、２  制振部材
１０    外郭部材
１１    圧縮変形体
１３    上面部材
１５    下面部材
１６、５０、５１    突起部
１６ａ  傾斜面
２０    空間
１００  まくら木
１０１  レール
【図１】
2006063583.tif 000003
【図２】
2006063583.tif 000004
【図３】
2006063583.tif 000005
【図４】
2006063583.tif 000006
【図５】
2006063583.tif 000007
【図６】
2006063583.tif 000008
【図７】
2006063583.tif 000009
【図８】
2006063583.tif 000010
【図９】
2006063583.tif 000011